(57)【特許請求の範囲】
【請求項１】
入力した画像データを、等倍を含む第１の変倍率で変倍処理する第１の変倍処理手段と、
前記第１の変倍処理手段で変倍処理された画像データを蓄積する画像蓄積手段と、
前記第１の変倍処理手段で変倍処理された画像データを、等倍を含む第２の変倍率で変倍処理する第２の変倍処理手段と、
前記第２の変倍処理手段で変倍処理された画像データを出力する画像出力手段と、
前記画像出力手段から画像データを出力する際の変倍率を設定する変倍率設定手段と、
画質を優先するか、生産性を優先するか、画質と生産性のバランスを優先するかといった動作モードを選択する動作モード選択手段と、
前記動作モード選択手段によって選択された動作モードと、前記変倍率設定手段によって設定された変倍率とに基づいて、前記第１の変倍率と前記第２の変倍率の配分を制御する変倍率配分制御手段と、
を備え、
前記変倍率配分制御手段は、前記変倍率設定手段で設定された出力時の変倍率に基づいて、いくつかに区分した解像度の範囲ごとに割り当てられた定型解像度のうち、前記出力時の変倍率に対応する定型解像度を求める定型解像度決定手段を有し、画像データを前記画像蓄積手段に蓄積するとともに該画像データを前記画像出力手段から出力する場合であって、前記動作モード選択手段によって画質と生産性のバランスを優先するバランス優先モードが選択された場合、前記定型解像度決定手段によって求めた定型解像度で画像データが前記画像蓄積手段に蓄積されるように、前記第１の変倍率と前記第２の変倍率の配分を制御することを特徴とする画像処理装置。
【請求項２】
前記定型解像度決定手段は、解像度の範囲の区分と、解像度の範囲に割り当てる定型解像度とを調整可能にする調整手段をさらに備えたことを特徴とする請求項１に記載の画像処理装置。
【請求項３】
前記変倍率配分制御手段は、画像データを前記画像蓄積手段に蓄積するとともに該画像データを前記画像出力手段から出力し、前記画像蓄積手段に蓄積した画像データを最初の出力時とは異なる変倍率で前記画像出力手段から再度出力する場合であって、前記動作モード選択手段によって画質優先モードが選択された場合、前記第１の変倍率を等倍とし、前記第２の変倍率が前記変倍率設定手段で設定された変倍率となるように配分を制御することを特徴とする請求項１に記載の画像処理装置。
【請求項４】
前記変倍率配分制御手段は、前記動作モード選択手段によって生産性優先モードが選択され、前記変倍率設定手段で設定された変倍率が縮小相当の変倍率の場合、前記第１の変倍率を前記変倍率設定手段で設定された変倍率とし、前記第２の変倍率が等倍となるように配分を制御することを特徴とする請求項１に記載の画像処理装置。
【請求項５】
前記変倍率配分制御手段は、前記動作モード選択手段によって生産性優先モードが選択され、前記変倍率設定手段で設定された変倍率が拡大相当の変倍率の場合、前記第１の変倍率を等倍とし、前記第２の変倍率が前記変倍率設定手段で設定された変倍率となるように配分を制御することを特徴とする請求項１に記載の画像処理装置。
【請求項６】
前記変倍率配分制御手段は、画像データを前記画像蓄積手段に蓄積するとともに前記画像出力手段から縦横方向の独立変倍で出力する場合であって、前記動作モード選択手段によって画質優先モードが選択され、出力解像度が主走査方向と副走査方向で異なる場合、両方向とも高い方の出力解像度と同じ解像度で画像データが前記画像蓄積手段に蓄積されるように、前記第１の変倍率と前記第２の変倍率の配分を制御することを特徴とする請求項１に記載の画像処理装置。
【請求項７】
入力した画像データを、等倍を含む第１の変倍率で変倍処理する第１の変倍処理手段と、
前記第１の変倍処理手段で変倍処理された画像データを蓄積する画像蓄積手段と、
前記第１の変倍処理手段で変倍処理された画像データを、等倍を含む第２の変倍率で変倍処理する第２の変倍処理手段と、
前記第２の変倍処理手段で変倍処理された画像データを出力する画像出力手段と、を備えた画像処理装置により実行される画像処理方法であって、
前記画像出力手段から画像データを出力する際の変倍率を設定する変倍率設定ステップと、
画質を優先するか、生産性を優先するか、画質と生産性のバランスを優先するかといった動作モードを選択する動作モード選択ステップと、
前記動作モード選択ステップによって選択された動作モードと、前記変倍率設定ステップによって設定された変倍率とに基づいて、前記第１の変倍率と前記第２の変倍率の配分を制御する変倍率配分制御ステップと、
を含み、
前記変倍率配分制御ステップは、前記変倍率設定ステップで設定された出力時の変倍率に基づいて、いくつかに区分した解像度の範囲ごとに割り当てられた定型解像度のうち、前記出力時の変倍率に対応する定型解像度を求める定型解像度決定ステップを含み、画像データを前記画像蓄積手段に蓄積するとともに該画像データを前記画像出力手段から出力する場合であって、前記動作モード選択ステップによって画質と生産性のバランスを優先するバランス優先モードが選択された場合、前記定型解像度決定ステップによって求めた定型解像度で画像データが前記画像蓄積手段に蓄積されるように、前記第１の変倍率と前記第２の変倍率の配分を制御することを特徴とする画像処理方法。
【請求項８】
請求項７に記載の画像処理方法の各ステップをコンピュータに実行させることを特徴とするコンピュータが実行するためのプログラム。
【発明の詳細な説明】
【技術分野】
【０００１】
この発明は、画像処理装置、画像処理方法、プログラムに関し、読み取った画像データを蓄積する前と後にそれぞれ変倍処理を行う画像処理装置、画像処理方法、およびその方法をコンピュータに実行させるプログラムに関する。
【背景技術】
【０００２】
近年、例えば特許文献１に見られるように、外部のパーソナルコンピュータ（ＰＣ）等へ画像を送信する際に、高精細な画質が得られる画像処理装置が提案されている。
【０００３】
また、特許文献２では、複数の解像度への解像度変換を行い、メモリ容量を削減し且つ画像処理速度を低下なしに簡単構成で実現可能な画像処理装置が提案されている。
【０００４】
さらに、特許文献３では、描画条件に従う画像品位を維持し、かつ、処理速度の低下をも防止して、ユーザが望む品位で拡大縮小が施された出力結果を効率よく得ることを可能とした描画制御装置（プリンタ）が提案されている。
【０００５】
また、特許文献４では、画像処理装置内のメモリ装置に蓄積された画像データをパソコン等の外部へ送信する際に、ユーザが変倍率（解像度）を指定することのできる画像処理システムが提案されている。
【０００６】
【特許文献１】特開２００６−２７０８１６号公報
【特許文献２】特開２００５−１０９８５７号公報
【特許文献３】特開２００３−１９１５３５号公報
【特許文献４】特開２００５−２６９３７９号公報
【発明の開示】
【発明が解決しようとする課題】
【０００７】
しかしながら、上記特許文献１〜３にあっては、第１の変倍手段と第２の変倍処理手段とを備えているという点については同じであるが、様々な条件に応じて最適な変倍率を決定する仕組みが無いため、ユーザの用途（使い方、環境）に応じた幅広い要求に対して対応できないという問題がある。
【０００８】
また、上記特許文献４にあっては、画像記憶手段に蓄積された画像データに対して変倍処理することができる変倍処理手段を備えている点については同じであるが、やはり、様々な条件に応じて最適な変倍率を決定する仕組みが無く、ユーザの用途（使い方、環境）に応じた幅広い要求に対して対応することができないという問題がある。
【０００９】
本発明は、上記に鑑みてなされたものであって、様々な条件に応じて最適な変倍率を配分することにより、ユーザの用途に応じた幅広い要求に対応することができる画像処理装置、画像処理方法、およびその方法をコンピュータに実行させるプログラムを提供することを目的とする。
【課題を解決するための手段】
【００１０】
上述した課題を解決し、目的を達成するために、請求項１にかかる発明は、入力した画像データを、等倍を含む第１の変倍率で変倍処理する第１の変倍処理手段と、前記第１の変倍処理手段で変倍処理された画像データを蓄積する画像蓄積手段と、前記第１の変倍処理手段で変倍処理された画像データを、等倍を含む第２の変倍率で変倍処理する第２の変倍処理手段と、前記第２の変倍処理手段で変倍処理された画像データを出力する画像出力手段と、前記画像出力手段から画像データを出力する際の変倍率を設定する変倍率設定手段と、画質を優先するか、生産性を優先するか、画質と生産性のバランスを優先するかといった動作モードを選択する動作モード選択手段と、前記動作モード選択手段によって選択された動作モードと、前記変倍率設定手段によって設定された変倍率とに基づいて、前記第１の変倍率と前記第２の変倍率の配分を制御する変倍率配分制御手段と、を備え、前記変倍率配分制御手段は、前記変倍率設定手段で設定された出力時の変倍率に基づいて、いくつかに区分した解像度の範囲ごとに割り当てられた定型解像度のうち、前記出力時の変倍率に対応する定型解像度を求める定型解像度決定手段を有し、画像データを前記画像蓄積手段に蓄積するとともに該画像データを前記画像出力手段から出力する場合であって、前記動作モード選択手段によって画質と生産性のバランスを優先するバランス優先モードが選択された場合、前記定型解像度決定手段によって求めた定型解像度で画像データが前記画像蓄積手段に蓄積されるように、前記第１の変倍率と前記第２の変倍率の配分を制御することを特徴とする。
【００１１】
また、請求項３にかかる発明は、請求項１に記載の画像処理装置であって、前記変倍率配分制御手段は、画像データを前記画像蓄積手段に蓄積するとともに該画像データを前記画像出力手段から出力し、前記画像蓄積手段に蓄積した画像データを最初の出力時とは異なる変倍率で前記画像出力手段から再度出力する場合であって、前記動作モード選択手段によって画質優先モードが選択された場合、前記第１の変倍率を等倍とし、前記第２の変倍率が前記変倍率設定手段で設定された変倍率となるように配分を制御することを特徴とする。
【００１２】
また、請求項４にかかる発明は、請求項１に記載の画像処理装置であって、前記変倍率配分制御手段は、前記動作モード選択手段によって生産性優先モードが選択され、前記変倍率設定手段で設定された変倍率が縮小相当の変倍率の場合、前記第１の変倍率を前記変倍率設定手段で設定された変倍率とし、前記第２の変倍率が等倍となるように配分を制御することを特徴とする。
【００１３】
また、請求項５にかかる発明は、請求項１に記載の画像処理装置であって、前記変倍率配分制御手段は、前記動作モード選択手段によって生産性優先モードが選択され、前記変倍率設定手段で設定された変倍率が拡大相当の変倍率の場合、前記第１の変倍率を等倍とし、前記第２の変倍率が前記変倍率設定手段で設定された変倍率となるように配分を制御することを特徴とする。
【００１５】
また、請求項２にかかる発明は、請求項１に記載の画像処理装置であって、前記定型解像度決定手段は、解像度の範囲の区分と、解像度の範囲に割り当てる定型解像度とを調整可能にする調整手段をさらに備えたことを特徴とする。
【００１６】
また、請求項６にかかる発明は、請求項１に記載の画像処理装置であって、前記変倍率配分制御手段は、画像データを前記画像蓄積手段に蓄積するとともに前記画像出力手段から縦横方向の独立変倍で出力する場合であって、前記動作モード選択手段によって画質優先モードが選択され、出力解像度が主走査方向と副走査方向で異なる場合、両方向とも高い方の出力解像度と同じ解像度で画像データが前記画像蓄積手段に蓄積されるように、前記第１の変倍率と前記第２の変倍率の配分を制御することを特徴とする。
【００１７】
上述した課題を解決し、目的を達成するために、請求項７にかかる発明は、入力した画像データを、等倍を含む第１の変倍率で変倍処理する第１の変倍処理手段と、前記第１の変倍処理手段で変倍処理された画像データを蓄積する画像蓄積手段と、前記第１の変倍処理手段で変倍処理された画像データを、等倍を含む第２の変倍率で変倍処理する第２の変倍処理手段と、前記第２の変倍処理手段で変倍処理された画像データを出力する画像出力手段と、を備えた画像処理装置により実行される画像処理方法であって、前記画像出力手段から画像データを出力する際の変倍率を設定する変倍率設定ステップと、画質を優先するか、生産性を優先するか、画質と生産性のバランスを優先するかといった動作モードを選択する動作モード選択ステップと、前記動作モード選択ステップによって選択された動作モードと、前記変倍率設定ステップによって設定された変倍率とに基づいて、前記第１の変倍率と前記第２の変倍率の配分を制御する変倍率配分制御ステップと、を含み、前記変倍率配分制御ステップは、前記変倍率設定ステップで設定された出力時の変倍率に基づいて、いくつかに区分した解像度の範囲ごとに割り当てられた定型解像度のうち、前記出力時の変倍率に対応する定型解像度を求める定型解像度決定ステップを含み、画像データを前記画像蓄積手段に蓄積するとともに該画像データを前記画像出力手段から出力する場合であって、前記動作モード選択ステップによって画質と生産性のバランスを優先するバランス優先モードが選択された場合、前記定型解像度決定ステップによって求めた定型解像度で画像データが前記画像蓄積手段に蓄積されるように、前記第１の変倍率と前記第２の変倍率の配分を制御することを特徴とする。
【００１８】
上述した課題を解決し、目的を達成するために、請求項８にかかる発明は、請求項７に記載の画像処理方法の各ステップをコンピュータに実行させることを特徴とするコンピュータが実行するためのプログラムである。
【発明の効果】
【００１９】
本発明によれば、入力した画像データを第１の変倍処理手段を使って第１の変倍率で変倍処理を行い、変倍処理された画像データを画像記憶手段に記憶させ、画像記憶手段からの画像データを第２の変倍処理手段を使って第２の変倍率で変倍処理を行い、第１の変倍処理手段、画像記憶手段、第２の変倍処理手段からの画像データを画像出力手段から出力する際の変倍率を変倍率設定手段により設定し、動作モード選択手段により画質を優先するか、生産性を優先するか、画質と生産性のバランスを優先するかの動作モードを選択し
て、変倍率配分制御手段により動作モード選択手段で選択された動作モードと変倍率設定手段で設定された変倍率とに基づいて第１の変倍率と第２の変倍率の配分を制御する。このように、様々な動作モードに応じて２つの変倍処理手段の変倍率の配分を最適化することができるため、ユーザの使い方や環境といった様々な用途に応じて広い要求に対応することが可能になるという効果を奏する。
【発明を実施するための最良の形態】
【００２０】
以下に添付図面を参照して、この発明にかかる画像処理装置、画像処理方法、およびその方法をコンピュータに実行させるプログラムの最良な実施の形態を詳細に説明する。なお、この実施の形態では画像処理装置として画像形成装置、特に複写機、スキャナ、プリンタ、およびファクシミリ装置等の複数の機能を複合したデジタル複合機（ＭＦＰ：Ｍｕｌｔｉ  Ｆｕｎｃｔｉｏｎ  Ｐｅｒｉｐｈｅｒａｌ）を用いた例について説明する。
【００２１】
図１は、本発明の実施の形態にかかる画像処理装置の主要部の概略構成を説明するブロック図であり、図２は、図１の第１の画像データ処理装置の構成例を示すブロック図であり、図３は、図１の第２の画像データ処理装置の構成例を示すブロック図であり、図４は、図１のＣＰＵの構成例を示すブロック図であり、図５は、図４の定型解像度決定部で解像度を割り当てる範囲の区分と割り当てる解像度とを示す図であり、図６は、図４の定型解像度決定部で決定された定型解像度の調整値を示す図であり、図７は、本発明の実施の形態にかかる概略動作を説明するフローチャートである。
【００２２】
図１に示す画像処理装置（ＭＦＰ）１００は、画像読取手段としての画像読取装置１、第１の変倍処理手段を含む第１の画像データ処理装置２、バス制御装置３、第２の変倍処理手段を含む第２の画像データ処理装置４、画像記憶手段としてのハードディスクドライブ（ＨＤＤ）５、動作モード選択手段、変倍率設定手段、変倍率配分制御手段、定型解像度決定手段、および調整手段などを含むＣＰＵ６、画像記憶手段としてのメモリ７、プロッタＩ／Ｆ装置８、画像出力手段としてのプロッタ装置９、操作表示装置１０、回線Ｉ／Ｆ装置１１、外部Ｉ／Ｆ装置１２、ＳＢ１３、およびＲＯＭ１４などにより構成されている。そして、このＭＦＰ１００は、電話回線を介して外部装置のＦＡＸ１５、あるいはネットワークを介してＰＣ１６と接続されている。
【００２３】
画像読取装置１は、ＣＣＤ（Ｃｈａｒｇｅ  Ｃｏｕｐｌｅｄ  Ｄｅｖｉｃｅ）などの光電変換素子からなるラインセンサと、Ａ／Ｄコンバータと、それらの駆動回路とを具備し、読み取り位置にセットされた原稿をスキャンすることで得られる原稿の濃淡情報から、ここではＲＧＢの各８ビットの画像データを生成して出力するものである。また、この実施の形態における画像読取装置１は、副走査方向に走査する速度を変えることによって副走査方向の画像の変倍率を変えることが可能なものである（副走査メカ変倍）。なお、この実施の形態における画像読取装置１の等倍時の読取り解像度は、６００ｄｐｉとしている。
【００２４】
第１の画像データ処理装置２は、例えば図２に示すように、画像データを変倍処理（解像度変換）する変倍処理手段としての変倍処理部２１と、その他の処理部２２，２３とを備えている。これらの各構成部は、画像読取装置１からの画像データに対して様々な条件に応じた適切な処理を施すことができる。その他の処理部２２，２３は、画像読取装置１からの画像データに対して、変倍処理以外の画像処理、例えば、γ処理、フィルタ処理、あるいは色変換処理などを施すものである。
【００２５】
バス制御装置３は、当該ＭＦＰ１００に必要な画像データや制御コマンドなどの各種データをやり取りするデータバスの制御装置であり、複数種のバス規格間のブリッジ機能も備えている。ここでは、第１の画像データ処理装置２、第２の画像データ処理装置４、ＣＰＵ６との間をＰＣＩ−Ｅｘｐｒｅｓｓバスで接続し、ＨＤＤとの間をＡＴＡバスで接続することでＡＳＩＣ化している。
【００２６】
第２の画像データ処理装置４は、例えば図３に示すように、画像データを変倍処理（解像度変換）する変倍処理手段としての変倍処理部４１と、その他の処理部４２，４３とを備えている。これらによってメモリ７に蓄積された画像データ（第１の画像データ処理装置４で適切な処理が施された画像データ）に対して更に適切な処理を施すことができる。その他の処理部４２，４３は、第１の画像データ処理装置２で適切な処理が施された画像データに対し、変倍処理以外の画像処理として、例えばフィルタ処理、色変換処理（ＲＧＢ→ＣＭＹＫ）、あるいは階調処理などを施すものである。
【００２７】
ＨＤＤ５は、ＰＣなどにも使用されている電子データを保存するための大容量記憶装置である。このＭＦＰ１００では、主に画像データおよび画像データの付帯情報などを蓄積する。ここでは、ＩＤＥ（Ｉｎｔｅｇｒａｔｅｄ  Ｄｒｉｖｅ  Ｅｌｅｃｔｒｏｎｉｃｓ）を拡張して規格化されたＡＴＡ（ＡＴ  Ａｔｔａｃｈｍｅｎｔ）バス接続のハードディスクを使用している。このＨＤＤ５は、メモリ７と共に画像データを蓄積する機能を果たしている。
【００２８】
ＣＰＵ６は、このＭＦＰ１００全体の制御を司るマイクロプロセッサである。ここでは、近年普及してきたＣＰＵコア単体に機能を追加したＩｎｔｅｇｒａｔｅｄ  ＣＰＵを使用する。例えば、ＰＭＣ社のＲＭ１１１００のような、汎用規格Ｉ／Ｆとの接続機能や、クロスバースイッチを使ったこれらバス接続機能がインテグレートされたＣＰＵを使用する。
【００２９】
メモリ７は、複数種のバス規格間をブリッジする際の速度差、あるいは接続された部品自体の処理速度差などを吸収するために、一時的にやりとりするデータを記憶したり、ＣＰＵ６がＭＦＰ１００を制御する際にプログラムや中間処理データを一時的に記憶したりする揮発性メモリである。ＣＰＵ６には、高速処理を求めるため、通常起動時にＲＯＭ１４に記憶されたブートプログラムにてシステムを起動し、その後は高速にアクセス可能なメモリ７に展開されたプログラムによって処理が行われる。この実施の形態では規格化されたＰＣに使用されているＤＩＭＭ（Ｄｏｕｂｌｅ  Ｉｎｌｉｎｅ  Ｍｅｍｏｒｙ  Ｍｏｄｕｌｅ）を使用する。
【００３０】
プロッタＩ／Ｆ装置８は、画像処理された画像データを出力するもので、ＣＰＵ６に統合された汎用規格Ｉ／Ｆ経由で送られてくるＣＭＹＫ（シアン、マゼンタ、イエロー、ブラック）からなる画像データを受け取ると、プロッタ装置９への専用Ｉ／Ｆに出力するバスブリッジ処理を行う。ここで使用されている汎用規格Ｉ／Ｆは、ＰＣＩ−Ｅｘｐｒｅｓｓバスである。
【００３１】
プロッタ装置９は、ＣＭＹＫからなる画像データをプロッタＩ／Ｆ装置８から受け取ると、例えばレーザービームを用いた電子写真プロセスを使い、受け取った画像データを可視画像として用紙（転写紙）に印刷出力するものである。
【００３２】
操作表示装置１０は、当該ＭＦＰ１００とユーザとの間のインターフェースであり、ＬＣＤ（液晶表示装置）とキースイッチなどから構成され、ＭＦＰ１００の各種状態や操作方法をＬＣＤに表示して、ユーザからのキースイッチ入力を検知する。この実施の形態では、ＰＣＩ−Ｅｘｐｒｅｓｓバスを介してＣＰＵ６と接続する。また、ここでは、変倍率の配分を決定するための一条件として、図４に示すＣＰＵ６の動作モード選択部６１にてユーザに選択させるようにしている。以下、これを動作モード選択という。
【００３３】
回線Ｉ／Ｆ装置１１は、ＰＣＩ−Ｅｘｐｒｅｓｓバスと電話回線とを接続する装置であり、この装置によって当該ＭＦＰ１００は電話回線を介してＦＡＸ１５などとの間で各種データのやり取りを行うことが可能になる。この回線Ｉ／Ｆ装置１１は、画像出力手段としての機能を果たしている。
【００３４】
外部Ｉ／Ｆ装置１２は、ＰＣＩ−ＥｘｐｒｅｓｓバスとＰＣ１６などの外部装置とを接続する装置であり、この装置によって当該ＭＦＰ１００はＰＣ１６との間で各種データのやり取りを行うことが可能になる。ここでは、その接続Ｉ／Ｆにネットワーク（イーサネット（登録商標））を使用している。すなわち、当該ＭＦＰ１００は、外部Ｉ／Ｆ装置１２を介してネットワークに接続されており、この外部Ｉ／Ｆ装置１２が画像出力手段としての機能を果たしている。
【００３５】
ＳＢ（Ｓｏｕｔｈ  Ｂｒｉｄｇｅ）１３は、ＰＣに使用されるチップセットのひとつで、サウスブリッジと呼ばれる汎用の電子デバイスである。主にＰＣＩ−ＥｘｐｒｅｓｓとＩＳＡブリッジを含むＣＰＵシステムを構築する際によく使用されるバスのブリッジ機能を汎用回路化したもので、ここではＲＯＭ１４との間をブリッジしている。
【００３６】
ＲＯＭ１４は、ＣＰＵ６が当該ＭＦＰ１００の制御を行う際のプログラム（ブートプログラムを含む）が格納されるメモリである。
【００３７】
ＦＡＸ１５は、通常のファクシミリ装置であり、電話回線を介して当該ＭＦＰ１００との間で画像データを授受するものである。
【００３８】
ＰＣ１６は、外部機器としてのパーソナルコンピュータであり、このＰＣにインストールされたアプリケーションソフトやドライバを介して、ユーザは当該ＭＦＰ１００に対し各種制御や画像データの入出力処理を行うものである。
【００３９】
以上のように、ＭＦＰ１００が構成され、このＭＦＰ１００がユーザへ提供するアプリケーション機能としては、コピー機能、プリンタ機能、スキャナ配信機能、ＦＡＸ送信機能、Ｄ−ＢＯＸ（ドキュメントボックス）出力機能、コピー＋Ｄ−ＢＯＸ機能、スキャナ配信＋Ｄ−ＢＯＸ機能、ＦＡＸ送信＋Ｄ−ＢＯＸ機能等がある。
【００４０】
〔コピー機能〕
画像読取装置１が原稿画像を読み取り、その画像データを第１の画像データ処理装置２および第２の画像データ処理装置４により画像処理を施した後、それをプロッタ装置９に送って、用紙上に可視画像として印刷させる。
【００４１】
〔プリンタ機能〕
ＰＣ１６からネットワークを介して入力された文字コードや描画データ等の印刷データを画像データに展開してプロッタ装置９に送り、用紙上に可視画像として印刷させる。
【００４２】
〔スキャナ配信機能〕
画像読取装置１が原稿画像を読み取り、その画像データを外部Ｉ／Ｆ装置１２によって電子メール等で予め設定されたＰＣ１６などの外部機器へ配信させる。
【００４３】
〔Ｄ−ＢＯＸ出力機能〕
ＨＤＤ５に蓄積されている画像データをプロッタ装置９に送り、用紙上に可視画像として印刷させたり、外部Ｉ／Ｆ装置１２によって電子メール等で予め設定されたＰＣ１６等の外部機器へ配信させたり、回線Ｉ／Ｆ装置１１によって予め設定されたＦＡＸ１５等の外部機器へＦＡＸ送信させたりする。
【００４４】
〔コピー＋Ｄ−ＢＯＸ機能〕
画像読取装置１に原稿の画像を読み取らせ、その画像データをＨＤＤ５に蓄積しながらその画像データをプロッタ装置９に送り、用紙上に可視画像として印刷させる。
【００４５】
〔スキャナ配信＋Ｄ−ＢＯＸ機能〕
画像読取装置１が原稿画像を読み取り、その画像データをＨＤＤ５に蓄積しながら、その画像データを外部Ｉ／Ｆ装置１２によって電子メール等で予め設定されたＰＣ１６等の外部機器に配信させる。
【００４６】
〔ＦＡＸ送信＋Ｄ−ＢＯＸ機能〕
画像読取装置１が原稿画像を読み取り、その画像データをＨＤＤ５に蓄積しながら、その画像データを回線Ｉ／Ｆ装置１１によって予め設定されたＦＡＸ１５等の外部機器へＦＡＸ送信させる。
【００４７】
（第１の実施の形態）
図４に示すように、ＣＰＵ６は、動作モード選択手段としての動作モード選択部６１と、変倍率設定手段としての変倍率設定部６２と、変倍率配分制御手段としての変倍率配分制御部６３とを備えている。
【００４８】
第１の実施の形態の特徴は、図２に示す第１の変倍処理手段としての変倍処理部２１と、図３に示す第２の変倍処理手段としての変倍処理部４１との変倍率の配分を、ユーザが任意に選択した動作モードと、画像データを出力する際の変倍率に応じて制御する点にある。動作モード例としては、ここでは画質を優先するモードと生産性を優先するモードのいずれかを選択する場合である。
【００４９】
図４のＣＰＵ６の動作モード選択部６１は、動作モード選択画面を図１の操作表示装置１０の操作画面上に表示すると、ユーザが操作表示装置１０を介して動作モードを選択する。画像データを出力する際の変倍率は、図４のＣＰＵ６の変倍率設定部６２により設定される。変倍率配分制御部６３は、動作モード選択部６１で選択された動作モードと、変倍率設定部６２により設定された変倍率に基づいて、変倍処理部２１と変倍処理部４１との変倍率の配分が最適となるように制御する。
【００５０】
第１の実施の形態では、任意に利用するアプリケーション利用時の動作について説明する。まず、ユーザは、原稿を図１の原稿読取装置１にセットし、変倍率配分に関する動作モード［Ｍ］と変倍率［Ｚ］やその他の諸設定、および利用アプリケーション開始の入力を操作表示装置１０により行う。
【００５１】
操作表示装置１０は、ユーザから入力された情報に基づいて、装置内部の制御コマンドデータに変換して発行する。発行された制御コマンドデータは、ＰＣＩ−Ｅｘｐｒｅｓｓバスを介してＣＰＵ６に通知される。
【００５２】
ＣＰＵ６は、利用アプリケーション開始の制御コマンドデータに従って利用アプリケーションの動作プロセスのプログラムを実行し、ユーザが選択した動作モード［Ｍ］と変倍率［Ｚ］に対して、第１の画像データ処理装置２の変倍処理部２１の変倍率［Ｚ１］と、第２の画像データ処理装置４の変倍処理部４１の変倍率［Ｚ２］の最適な配分を決定する。
【００５３】
なお、第１の画像データ処理装置２側に配分された変倍率［Ｚ１］の副走査方向に対して、さらに画像読取装置１が副走査方向に走査する速度を変えることにより、副走査方向の画像の変倍率を変える副走査メカ変倍を用いて最適に配分することも可能である。その際、利用するアプリケーションに必要なその他の諸設定や動作も行うようにする。以下、動作プロセスに従って具体的に説明する。
【００５４】
図１に示す画像読取装置１で原稿を走査して得られた画像データは、第１の画像データ処理装置２に最適に配分された変倍率［Ｚ１］で変換すると共に、その他の必要な処理を施してバス制御装置３に送られる。バス制御装置３は、第１の画像データ処理装置２からの画像データを受け取ると、ＣＰＵ６を介してメモリ７に蓄積する。なお、利用アプリケーションがＤ−ＢＯＸに蓄積されている場合は、メモリ７に蓄積されている画像データをＨＤＤ５に蓄積する（これを処理Ａとし、以下で参照する）。
【００５５】
メモリ７に蓄積された画像データは、ＣＰＵ６およびバス制御装置３を介して、第２の画像データ処理装置４に送られる。第２の画像データ処理装置４は、受け取った画像データに対して、最適に配分された変倍率［Ｚ２］での変換と、その他の必要な処理を施して再びメモリ７に出力される。
【００５６】
利用アプリケーションが印刷系であるならば、メモリ７に蓄積された画像データをＣＰＵ６およびプロッタＩ／Ｆ装置８を介してプロッタ装置９に送られる。プロッタ装置９は、受け取った画像データを転写紙に出力し、原稿のコピーを生成する。
【００５７】
また、利用アプリケーションが外部への送信系であるならば、メモリ７に蓄積された画像データをＣＰＵ６および回線Ｉ／Ｆ装置１１、または外部Ｉ／Ｆ装置１２を介してＭＦＰ１００の外部へ送信される。
【００５８】
次に、上記処理Ａにおいて、ＨＤＤ５に蓄積された画像データをユーザが任意の条件で再度出力する場合、すなわち蓄積した画像データを再利用する場合について説明する。まず、ユーザは、Ｄ−ＢＯＸに蓄積されたデータを変倍率［ＺＺ］で出力することを要求する。ＨＤＤ５に蓄積された画像データは、ＣＰＵ６を介してメモリ７に蓄積する。このメモリ７に蓄積された画像データは、ＣＰＵ６およびバス制御装置３を介して、第２の画像データ処理装置４に送られる。第２の画像データ処理装置４では、受け取った画像データに対して、変倍率［Ｚ２］での変換とその他の必要な処理を施して出力する。この変倍率［Ｚ２］は、Ｄ−ＢＯＸに蓄積されたデータの変倍率［ＺＺ］と、メモリ７に蓄積された画像データの解像度から換算した変倍率である。そして、バス制御装置３は、第２の画像データ処理装置４からの画像データを受け取ると、ＣＰＵ６を介してメモリ７に蓄積する。
【００５９】
このメモリ７に蓄積された画像データは、利用アプリケーションが印刷系であるならば、ＣＰＵ６およびプロッタＩ／Ｆ装置８を介して、プロッタ装置９に送られる。プロッタ装置９は、受け取った画像データを転写紙に出力し、原稿のコピーを生成する。利用アプリケーションが外部への送信系であるならば、ＣＰＵ６および回線Ｉ／Ｆ装置１１、または外部Ｉ／Ｆ装置１２を介してＭＦＰ１００の外部へ送信される。
【００６０】
上記動作において、変倍率配分制御部６３における変倍率の配分制御フローを図７で見ると、動作モードの選択時に画質優先モードが選択され（ステップＳ１００で画質優先）、縦横独立変倍時でない場合は（ステップＳ１０１でＮＯ）、画像データの記憶時と異なる変倍率で変倍処理しない場合は（ステップＳ１０２でＮＯ）、第１の画像データ処理装置２の変倍率を設定倍率とし、第２の画像データ処理装置４の変倍率を等倍率とする配分制御が行われる（ステップＳ１０４）。
【００６１】
このように、第１の実施の形態によれば、ユーザが動作モード選択部６１で任意に選択した動作モードと、変倍率設定部６２で設定された出力時の変倍率とに基づいて、変倍率配分制御部６３により変倍処理部２１と変倍処理部４１の変倍率が最適に配分されるため、ユーザの用途（使い方、環境）に応じた幅広い要求に対応可能な画像処理装置とすることができる。
【００６２】
（第２の実施の形態）
第２の実施の形態の特徴は、蓄積された画像データを蓄積時と異なる変倍率で出力する際に、画質を高画質にする点にある。変倍率の配分制御の条件としては、蓄積された画像データを蓄積時と異なる条件で再度出力する際に、画質優先モードを選択する場合である。ここでは、画像データの５０％縮小コピーを行い、Ｄ−ＢＯＸへ蓄積する際の動作について説明する。
【００６３】
まず、ユーザは、図１の画像読取装置１に原稿をセットし、操作表示装置１０を使ってＣＰＵ６の動作モード選択部６１の画質優先モードを選択し、その他の諸設定を行って、５０％縮小コピーとＤ−ＢＯＸへの蓄積開始入力を行う。
【００６４】
操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。ＣＰＵ６は、コピー＋Ｄ−ＢＯＸ蓄積サービスを開始する制御コマンドデータに従って、コピー＋Ｄ−ＢＯＸ蓄積サービスの動作プロセスのプログラムを実行し、ユーザが指定した変倍率［Ｚ：５０％］に対して、第１の画像データ処理装置２の変倍処理部２１の変倍率［Ｚ１：１００％（等倍）］、第２の画像データ処理装置４の変倍処理部４１の変倍率［Ｚ２：５０％］とするよう配分する。以下、動作プロセスに従って順に説明する。
【００６５】
画像読取装置１により原稿を走査して得られた画像データは、第１の画像データ処理装置２で、［Ｚ１：１００％（等倍）］への変倍処理と、その他の必要な処理とが施されてバス制御装置３に送られる。
【００６６】
バス制御装置３は、第１の画像データ処理装置２で変倍処理（ここでは、等倍）された画像データを受け取ると、ＣＰＵ６を介してメモリ７に蓄積する。さらに、メモリ７に蓄積された画像データをＨＤＤ５に蓄積する（これを処理Ｂとし、以下で参照する）。この時のメモリ７およびＨＤＤ５に蓄積する画像データの解像度は６００ｄｐｉ（等倍の読取解像度）とする。
【００６７】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：５０％］への変換と、その他の必要な処理を施して出力する。
【００６８】
バス制御装置３は、第２の画像データ処理装置４から出力された画像データを受け取ると、ＣＰＵ６を介してメモリ７に蓄積する。このメモリ７に蓄積された画像データは、ＣＰＵ６およびプロッタＩ／Ｆ装置８を介して、プロッタ装置９に送られる。プロッタ装置９は、受け取った画像データを転写紙に出力し、原稿のコピーを生成する。
【００６９】
上記した処理Ｂにおいて、ＨＤＤ５に蓄積された画像データをユーザが前回利用時とは異なる条件で再度出力する場合（後で再利用する場合）について以下説明する。まず、ユーザがＤ−ＢＯＸに蓄積されたデータを２００ｄｐｉでスキャナ配信することを要求すると、ＨＤＤ５に蓄積された画像データはＣＰＵ６を介してメモリ７に蓄積される。このメモリ７に蓄積された画像データは、ＣＰＵ６およびバス制御装置３を介して、第２の画像データ処理装置４に送られる。第２の画像データ処理装置４は、受け取った画像データに対して、変倍率［Ｚ２：３３％（２００ｄｐｉ化）］への変換と、その他の必要な処理を施して出力する。
【００７０】
バス制御装置３は、第２の画像データ処理装置４で処理された画像データを受け取ると、ＣＰＵ６を介してメモリ７に蓄積する。メモリ７に蓄積された画像データは、ＣＰＵ６および外部Ｉ／Ｆ装置１２を介してＭＦＰ１００の外部へ送信される。
【００７１】
上記動作において、変倍率配分制御部６３における変倍率の配分制御フローを図７で見ると、動作モードの選択時に画質優先モードが選択され（ステップＳ１００で画質優先）、縦横独立変倍時ではなく（ステップＳ１０１でＮＯ）、画像データの記憶時と異なる変倍率で変倍処理する場合は（ステップＳ１０２でＹＥＳ）、第１の画像データ処理装置２の変倍率を等倍率とし、第２の画像データ処理装置４の変倍率を設定倍率とする配分制御が行われる（ステップＳ１０３）。
【００７２】
このように、第２の実施の形態によれば、等倍の読取解像度で画像データを蓄積させ、蓄積した画像データを蓄積時と異なる条件で再度出力するよう変倍率配分制御部６２の変倍率を配分制御するため、蓄積した画像データの出力解像度を設定し直したとしても実質的な変倍処理は１度だけで済むので、画質の劣化が少なく、常に高画質な画像データを出力することができる。
【００７３】
（第３の実施の形態）
第３の実施の形態の特徴は、画像データを出力する際に、画質を劣化させずに生産性（スループット）を向上させることができる点にある。変倍率の配分制御の条件としては、画像データを出力する際に、ユーザが生産性優先モードを選択する場合である。ここでは、画像データの５０％縮小コピーを行う時の動作について説明する。
【００７４】
まず、ユーザは、図１の画像読取装置１に原稿をセットし、操作表示装置１０を使ってＣＰＵ６の動作モード選択部６１の生産性モード優先を選択し、その他の諸設定を行って、５０％縮小コピーの開始入力を行う。
【００７５】
操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。ＣＰＵ６は、サービス開始の制御コマンドデータに従って、コピー動作プロセスのプログラムを実行し、ユーザが指定した変倍率［Ｚ：５０％］に対して、第１の画像データ処理装置２の変倍処理部２１の変倍率［Ｚ１：５０％］、第２の画像データ処理装置４の変倍処理部４１の変倍率［Ｚ２：１００％（等倍）］とするよう配分する。
【００７６】
なお、この第３の実施の形態では、第１の画像データ処理装置２側に配分された変倍率［Ｚ１：５０％］に対して、さらに、副走査方向を画像読取装置１の副走査メカ変倍の変倍率［５０％］とし、第１の画像データ処理装置２の変倍処理部２１の変倍率［Ｚ１：副走査方向１００％］として配分する場合について記載する。以下、動作プロセスに従って順に説明する。
【００７７】
画像読取装置１により副走査メカ変倍の変倍率を［５０％］として原稿をスキャンして得られた画像データは、第１の画像データ処理装置２において［Ｚ１：主走査方向５０％／副走査方向１００％］への変倍処理と、その他の必要な処理とが施されてバス制御装置３に送られる。
【００７８】
バス制御装置３は、第１の画像データ処理装置２からの画像データを受け取ると、ＣＰＵ６を介してメモリ７に蓄積する。この時のメモリ７に蓄積される画像データの解像度は３００ｄｐｉ（出力解像度：５０％縮小相当）となる。
【００７９】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：１００％（等倍）］への変換と、その他の必要な処理を施して出力する。
【００８０】
バス制御装置３は、第２の画像データ処理装置４から出力された画像データを受け取ると、ＣＰＵ６を介してメモリ７に蓄積する。このメモリ７に蓄積された画像データは、ＣＰＵ６およびプロッタＩ／Ｆ装置８を介して、プロッタ装置９に送られる。プロッタ装置９は、受け取った画像データを転写紙に出力し、原稿のコピーを生成する。
【００８１】
上記動作において、変倍率配分制御部６３における変倍率の配分制御フローを図７で見ると、動作モードの選択時に生産性優先モードが選択され（ステップＳ１００で生産性優先）、設定変倍率が縮小である場合は（ステップＳ１０５でＹＥＳ）、第１の画像データ処理装置２の変倍率を設定倍率とし、第２の画像データ処理装置４の変倍率を等倍率とする配分制御が行われる（ステップＳ１０６）。
【００８２】
このように、第３の実施の形態によれば、出力解像度で蓄積するように変倍率を配分するため、縮小（低解像度化）の出力解像度が設定された場合、第１の画像データ処理装置以降で扱う画像データのサイズが小さくなり、第１の画像データ処理装置以降の処理負荷が低減して、処理速度を向上させることができる。これを、図１のハードウェア構成で見ると、バス制御装置３におけるバスの負荷が低減することにより、処理速度が向上することになる。また、画像読取装置１のメカ変倍と組み合わせることによって、さらなる処理速度の向上が見込める。画質面については、蓄積した画像データを蓄積時と異なる条件で再度出力する場合を除けば、実質的な変倍処理は１度で済むので、画質が劣化することなく、高画質な画像データを出力することができる。
【００８３】
（第４の実施の形態）
第４の実施の形態の特徴は、画像データを拡大して出力する際に、生産性（スループット）を向上させることができる点にある。変倍率の配分制御の条件としては、画像データを拡大して出力する際に、ユーザが生産性優先モードを選択する場合である。ここでは、画像データを２００％拡大コピーする時の動作について説明する。
【００８４】
まず、ユーザは、図１の画像読取装置１に原稿をセットし、操作表示部１０を使ってＣＰＵ６の動作モード選択部６１の生産性優先モードを選択し、その他の諸設定を行って、２００％拡大コピーの開始入力を行う。なお、この第４の実施の形態では、上記第３の実施の形態の動作モードである生産性優先を選択していることを前提とし、さらに第４の実施の形態の動作モードを選択することとした。
【００８５】
操作表示装置１０は、ユーザから入力された情報を機器内部の制御コマンドデータに変換して発行する。発行された制御コマンドデータは、ＰＣＩ−Ｅｘｐｒｅｓｓバスを介してＣＰＵ６に通知される。ＣＰＵ６は、コピー開始の制御コマンドデータに従って、コピー動作プロセスのプログラムを実行し、ユーザが指定した変倍率［Ｚ：２００％］に対して、第１の画像データ処理装置２の変倍処理部２１の変倍率［Ｚ１：１００％（等倍）］、第２の画像データ処理装置４の変倍処理部４１の変倍率［Ｚ２：２００％］とするよう配分する。以下、動作プロセスに従って順に説明する。
【００８６】
画像読取装置１により原稿をスキャンして得られた画像データは、第１の画像データ処理装置２で、［Ｚ１：１００％（等倍）］への変倍処理と、その他の必要な処理とが施されてバス制御装置３に送られる。
【００８７】
バス制御装置３は、第１の画像データ処理装置２からの画像データを受け取ると、ＣＰＵ６を介してメモリ７に蓄積する。この時のメモリ７に蓄積される画像データの解像度は６００ｄｐｉ（等倍の読取解像度）となる。
【００８８】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：２００％］への変換と、その他の必要な処理を施して出力する。
【００８９】
バス制御装置３は、第２の画像データ処理装置４から出力された画像データを受け取ると、ＣＰＵ６を介してメモリ７に蓄積する。このメモリ７に蓄積された画像データは、ＣＰＵ６およびプロッタＩ／Ｆ装置８を介して、プロッタ装置９に送られる。プロッタ装置９は、受け取った画像データを転写紙に出力し、原稿のコピーを生成する。
【００９０】
上記動作において、変倍率配分制御部６３における変倍率の配分制御フローを図７で見ると、動作モードの選択時に生産性優先モードが選択され（ステップＳ１００で生産性優先）、設定変倍率が縮小でない場合は（ステップＳ１０５でＮＯ）、第１の画像データ処理装置２の変倍率を等倍率とし、第２の画像データ処理装置４の変倍率を設定倍率とする配分制御が行われる（ステップＳ１０７）。
【００９１】
このように、第４の実施の形態によれば、画像拡大相当の変倍において画質劣化させることなく生産性を向上することが可能となり、上記第３の実施の形態の効果をさらに改善することができる。これは、第３の実施の形態では、常に出力解像度で蓄積するように変倍率を配分していたため、拡大相当の変倍率が出力解像度として設定されると、第１の画像データ処理装置２以降で扱う画像データのサイズは読取解像度よりも大きくなり、第１の画像データ処理装置２以降の処理負荷が増大することで処理速度が低下してしまう。これに対して、この第４の実施の形態では、拡大相当の場合に等倍の読取解像度で蓄積するよう変倍率を配分するので、画像データのサイズにより処理速度を低下させることなく出力することが可能となる。また、画質面に関しては、出力解像度を再設定しても実質的な変倍処理が１度で済むことから、画質を劣化させずに高画質な画像データを出力することができる。
【００９２】
（第５の実施の形態）
第５の実施の形態の特徴は、画質優先モードと生産性優先モードにはそれぞれ相反するメリットとデメリットがあるため、それぞれのバランスをとるようにした点にある。ここでは、解像度が２７０ｄｐｉでスキャナ配信を行うと共に、Ｄ−ＢＯＸに蓄積する場合の動作について説明する。
【００９３】
まず、ユーザは、図１の画像読取装置１に原稿をセットし、操作表示部１０を使ってＣＰＵ６の動作モード選択部６１のバランス優先モードを選択し、その他の諸設定を行って、解像度２７０ｄｐｉのスキャナ配信とＤ−ＢＯＸへの蓄積開始入力を行う。
【００９４】
操作表示装置１０は、ユーザから入力された情報を機器内部の制御コマンドデータに変換し発行する。発行された制御コマンドデータは、ＰＣＩ−Ｅｘｐｒｅｓｓバスを介してＣＰＵ６に通知される。ＣＰＵ６は、スキャナ配信＋Ｄ−ＢＯＸ蓄積サービスを開始する制御コマンドデータに従って、スキャナ配信＋Ｄ−ＢＯＸ蓄積サービスの動作プロセスのプログラムを実行し、ユーザが指定した変倍率［Ｚ：４５％（２７０ｄｐｉ化）］に対して、図４の定型解像度決定部６４で求めた定型解像度で蓄積するように、第１の画像データ処理装置２の変倍処理部２１の変倍率と、第２の画像データ処理装置４の変倍処理部４１の変倍率を配分する。
【００９５】
この第５の実施形態では、図４の定型解像度決定部６４における解像度を割当てる際の範囲の区分と、割当てる解像度とを図５のようにした。この図５に従って、第１の画像データ処理装置２の変倍処理部２１の変倍率［Ｚ１：５０％（３００ｄｐｉ化）］、第２の画像データ処理装置４の変倍処理部４１の変倍率［Ｚ２：９０％（２７０ｄｐｉ化）］とするよう配分する。
【００９６】
また、第５の実施の形態では、第１の画像データ処理装置２側に配分された変倍率［４５％（２７０ｄｐｉ化）］に対して、さらに、副走査方向を画像読取装置１の副走査メカ変倍の変倍率［４５％］、第１の画像データ処理装置２の変倍処理部２１の変倍率［Ｚ１：副走査方向１００％］に配分した場合とする。以下、動作プロセスに従って順に説明する。
【００９７】
画像読取装置１で副走査メカ変倍の変倍率［４５％（２７０ｄｐｉ化）］として原稿を走査して得られた画像データは、第１の画像データ処理装置２において［Ｚ１：４５％（２７０ｄｐｉ化）／副走査方向１００％］への変倍処理と、その他の必要な処理とが施されてバス制御装置３に送られる。
【００９８】
バス制御装置３は、第１の画像データ処理装置２からの画像データを受け取ると、ＣＰＵ６を介してメモリ７に蓄積する。さらに、メモリ７に蓄積された画像データをＨＤＤ５に蓄積する（これを処理Ｃとし、以下で参照する）。この時のメモリ７およびＨＤＤ５に蓄積する画像データの解像度は３００ｄｐｉとする。
【００９９】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：５０％］への変換と、その他の必要な処理を施して出力する。
【０１００】
バス制御装置３は、第２の画像データ処理装置４から出力された画像データを受け取ると、ＣＰＵ６を介してメモリ７に蓄積する。このメモリ７に蓄積された画像データは、ＣＰＵ６および回線Ｉ／Ｆ装置１１を介して当該ＭＦＰ１００の外部へ送信される。
【０１０１】
上記した処理Ｃにおいて、ＨＤＤ５に蓄積された画像データをユーザが前回利用時とは異なる条件で再度出力する場合（後で再利用する場合）については、基本的に上記第２の実施の形態における処理Ｂと同じであるので重複説明を省略する。
【０１０２】
上記動作において、変倍率配分制御部６３における変倍率の配分制御フローを図７で見ると、動作モードの選択時にバランス優先モードが選択され（ステップＳ１００でバランス優先）、定型解像度決定部６４で定めた定型解像度で画像データをＨＤＤ５に蓄積するように第１および第２の画像データ処理装置の変倍率の配分を決定する（ステップＳ１０８）。
【０１０３】
このように、第５の実施の形態によれば、画質優先と生産性優先とのバランスを取ることが可能となる。例えば、画質優先モードの場合は、どのような変倍率であっても等倍の読取解像度で蓄積するように変倍率を配分するため、画質を向上させるメリットはあるが、縮小相当の変倍率の場合には処理速度が低下するというデメリットがある。また、生産性優先モードの場合は、どのような変倍率であっても出力解像度で蓄積するように変倍率を配分するため、処理速度が向上するメリットはあるが、蓄積する画像データの解像度が出力解像度の種類分だけ存在することになり、画質の面から見るとデメリットとなる。このように、画質優先モードと生産性優先モードは、それぞれ相反するメリットとデメリットがあるため、そのバランスを取ることによって、ユーザの用途に応じた効果を得ることができる。
【０１０４】
（第６の実施の形態）
第６の実施の形態の特徴は、上記第５の実施の形態において定型解像度決定部６４で解像度を割り当てる際の範囲の区分と割当てる解像度を、ＭＦＰ１００の操作表示部１０を使ってユーザが予め設定することにより調整可能とした点にある。
【０１０５】
まず、ユーザは、図６に示すような「範囲の区分」と「割当てる解像度」の設定値を操作表示装置１０に入力する。そして、ユーザは、図１の画像読取装置１に原稿をセットし、操作表示部１０を使ってＣＰＵ６の動作モード選択部６１のバランス優先モードを選択し、その他の諸設定を行って、解像度２７０ｄｐｉのスキャナ配信とＤ−ＢＯＸへの蓄積開始入力を行う。
【０１０６】
操作表示装置１０は、ユーザから入力された情報を機器内部の制御コマンドデータに変換し発行する。発行された制御コマンドデータは、ＰＣＩ−Ｅｘｐｒｅｓｓバスを介してＣＰＵ６に通知される。ＣＰＵ６は、スキャナ配信＋Ｄ−ＢＯＸ蓄積サービスを開始する制御コマンドデータに従って、スキャナ配信＋Ｄ−ＢＯＸ蓄積サービスの動作プロセスのプログラムを実行し、ユーザが指定した変倍率［Ｚ：４５％（２７０ｄｐｉ化）］に対して、図４の定型解像度決定部６４で求めた定型解像度で蓄積するように、第１の画像データ処理装置２の変倍処理部２１の変倍率と、第２の画像データ処理装置４の変倍処理部４１の変倍率を配分する。そして、予め設定した調整値である図５に従って、第１の画像データ処理装置２の変倍処理部２１の変倍率［Ｚ１：１００％（等倍：６００ｄｐｉ化）］、第２の画像データ処理装置４の変倍処理部４１の変倍率［Ｚ２：４５％（２７０ｄｐｉ化）］とするよう配分する。以下、動作プロセスに従って順に説明する。
【０１０７】
画像読取装置１で副走査メカ変倍の変倍率［４５％（２７０ｄｐｉ化）］として原稿を走査して得られた画像データは、第１の画像データ処理装置２において［Ｚ１：１００％（等倍）］への変倍処理と、その他の必要な処理とが施されてバス制御装置３に送られる。
【０１０８】
バス制御装置３は、第１の画像データ処理装置２からの画像データを受け取ると、ＣＰＵ６を介してメモリ７に蓄積する。さらに、メモリ７に蓄積された画像データをＨＤＤ５に蓄積する（これを処理Ｄとし、以下で参照する）。この時のメモリ７およびＨＤＤ５に蓄積する画像データの解像度は６００ｄｐｉとする。
【０１０９】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：４５％］への変換と、その他の必要な処理を施して出力する。
【０１１０】
バス制御装置３は、第２の画像データ処理装置４から出力された画像データを受け取ると、ＣＰＵ６を介してメモリ７に蓄積する。このメモリ７に蓄積された画像データは、ＣＰＵ６および回線Ｉ／Ｆ装置１１を介して当該ＭＦＰ１００の外部へ送信される。
【０１１１】
上記した処理Ｄにおいて、ＨＤＤ５に蓄積された画像データをユーザが前回利用時とは異なる条件で再度出力する場合（後で再利用する場合）については、基本的に上記第２の実施の形態における処理Ｂと同じであるので重複説明を省略する。
【０１１２】
上記動作において、変倍率配分制御部６３における変倍率の配分制御フローを図７で見ると、動作モードの選択時にバランス優先モードが選択され（ステップＳ１００でバランス優先）、定型解像度決定部６４で定めた定型解像度で画像データをＨＤＤ５に蓄積するように第１および第２の画像データ処理装置の変倍率の配分を決定した後（ステップＳ１０８）。範囲の区分と割り当てる解像度を調整する場合は調整を行った後（ステップＳ１０９）、ステップＳ１０８に戻る。
【０１１３】
このように、第６の実施の形態によれば、上記第５の実施の形態における定型解像度決定部６４で解像度を割り当てる際の範囲の区分と割当てる解像度とを、ユーザにより調整可能としたことにより、さらに幅広い要求へ対応可能な画像処理装置とすることができる。
【０１１４】
（第７の実施の形態）
第７の実施の形態の特徴は、縦横方向の独立変倍時において画質を優先させるようにした点にある。ここでは、縦４０％×横８０％で縮小コピーを行うと共に、Ｄ−ＢＯＸに蓄積する場合の動作について説明する。
【０１１５】
まず、ユーザは図１の画像読取装置１に原稿をセットし、操作表示装置１０を使ってＣＰＵ６の動作モード選択部６１の縦横方向の独立変倍時における画質優先モードを選択し、その他の諸設定を行って、縦４０％×横８０％の縮小コピーとＤ−ＢＯＸへの蓄積開始入力を行う。なお、第７の実施の形態では、上記第５の実施の形態の動作モードであるバランス優先を選択していることを前提とし、さらに本実施の形態の動作モードを選択することとした。また、縦４０％×横８０％については、主走査方向を４０％、副走査方向を８０％と捉えている。
【０１１６】
操作表示装置１０は、ユーザから入力された情報を機器内部の制御コマンドデータに変換し発行する。発行された制御コマンドデータは、ＰＣＩ−Ｅｘｐｒｅｓｓバスを介してＣＰＵ６に通知される。ＣＰＵ６は、サービス開始の制御コマンドデータに従って、コピー＋Ｄ−ＢＯＸ蓄積サービスの動作プロセスのプログラムを実行し、ユーザが指定した変倍率［Ｚ：主走査方向４０％／副走査方向８０％］に対して、第１の画像データ処理装置２の変倍処理部２１の変倍率［Ｚ１：主走査方向８０％／副走査方向８０％］、第２の画像データ処理装置４の変倍処理部４１の変倍率［Ｚ２：主走査方向５０％／副走査方向１００％（等倍）］とするよう配分する。
【０１１７】
なお、第７の実施の形態では、第１の画像データ処理装置２側に配分された変倍率［Ｚ１：主走査方向８０％／副走査方向８０％］に対して、さらに、副走査方向を画像読取装置１の副走査メカ変倍の変倍率［８０％］、第１の画像データ処理装置２の変倍処理部２１の変倍率［Ｚ１：副走査方向１００％］に配分した場合で説明する。以下、動作プロセスに従って順に説明する。
【０１１８】
画像読取装置１による副走査メカ変倍の変倍率を［８０％］として原稿を操作して得られた画像データは、第１の画像データ処理装置２で、［Ｚ１：主走査方向８０％／副走査方向１００％］への変倍処理と、その他の必要な処理とが施されてバス制御装置３に送られる。
【０１１９】
バス制御装置３は、第１の画像データ処理装置２からの画像データを受け取ると、ＣＰＵ６を介してメモリ７に蓄積する。さらに、メモリ７に蓄積された画像データをＨＤＤ５に蓄積する（これを処理Ｅとし、以下で参照する）。この時のメモリ７およびＨＤＤ５に蓄積する画像データの解像度は、主走査／副走査方向ともに４８０ｄｐｉ（副走査方向の出力解像度：８０％縮小相当）とする。
【０１２０】
続いて、メモリ７に蓄積された画像データは、ＣＰＵ６およびバス制御装置３を介して、第２の画像データ処理装置４に送られる。第２の画像データ処理装置４は、受け取った画像データに対して、適切に配分された変倍率［Ｚ２：主走査方向５０％／副走査方向１００％（等倍）］への変換と、その他の必要な処理を施して出力する。
【０１２１】
バス制御装置３は、第２の画像データ処理装置４からの画像データを受け取ると、ＣＰＵ６を介してメモリ７に蓄積する。このメモリ７に蓄積された画像データは、ＣＰＵ６およびプロッタＩ／Ｆ装置８を介して、プロッタ装置９に送られる。プロッタ装置９は、受け取った画像データを転写紙に出力し、原稿のコピーを生成する。
【０１２２】
上記した処理Ｅにおいて、ＨＤＤ５に蓄積された画像データをユーザが前回利用時とは異なる条件で再度出力する場合（後で再利用する場合）については、基本的に上記第２の実施の形態における処理Ｂと同じであるので重複説明を省略する。
【０１２３】
上記動作において、変倍率配分制御部６３における変倍率の配分制御フローを図７で見ると、動作モードの選択時に画質優先モードが選択され（ステップＳ１００で画質優先）、縦横独立変倍時の場合は（ステップＳ１０１でＹＥＳ）、走査方向と副走査方向で高い解像度に設定された方向の出力解像度で両方向とも記憶させるように、第１および第２の画像データ処理装置２，３の変倍率の配分を決定する（ステップＳ１１０）。
【０１２４】
このように、第７の実施の形態によれば、画像データを主副走査で異なる変倍とする場合であっても画質を優先させることが可能となる。例えば、上記第５の実施の形態では、変倍率によらずに常に定型解像度で蓄積するように変倍率を配分するため、主副走査で異なる変倍率が出力解像度として設定された場合に、蓄積する画像データの解像度が主副走査で異なることから、画質が劣化することがあった。これに対し、第７の実施の形態では、主副走査で異なる変倍の場合には、高い方向の解像度で両方向ともに蓄積するように変倍率を配分するため、蓄積する画像データの解像度が主副走査で同じとなり、画質を向上させることができる。
【０１２５】
なお、上記各実施の形態にかかる画像処理装置で実行されるプログラムは、図１に示すＲＯＭ１４等に予め組み込まれて提供される。
【０１２６】
本実施の形態にかかる画像処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１２７】
さらに、本実施の形態にかかる画像処理装置で実行されるプログラムを、インターネット等のネットワークに接続されたコンピュータ上に格納し、ネットワーク経由でダウンロードさせることにより提供するように構成しても良い。また、本実施の形態にかかる画像処理装置で実行されるプログラムをインターネット等のネットワーク経由で提供または配布するように構成しても良い。
【０１２８】
本実施の形態にかかる画像処理装置で実行されるプログラムは、上述した各部（動作モード選択部６１、変倍率設定部６２、変倍率配分制御部６３、定型解像度決定部６４、調整部６５等）を含むモジュール構成となっており、実際のハードウェアとしてはＣＰＵ（プロセッサ）６が上記ＲＯＭ１４からプログラムを読み出して実行することにより上記各部が主記憶装置上にロードされ、動作モード選択部６１、変倍率設定部６２、変倍率配分制御部６３、定型解像度決定部６４、調整部６５等が主記憶装置上に生成されるようになっている。
【図面の簡単な説明】
【０１２９】
【図１】本発明の実施の形態にかかる画像処理装置の主要部の概略構成を説明するブロック図である。
【図２】図１の第１の画像データ処理装置の構成例を示すブロック図である。
【図３】図１の第２の画像データ処理装置の構成例を示すブロック図である。
【図４】図１のＣＰＵの構成例を示すブロック図である。
【図５】図４の定型解像度決定部で解像度を割り当てる範囲の区分と割り当てる解像度とを示す図である。
【図６】図４の定型解像度決定部で決定された定型解像度の調整値を示す図である。
【図７】本発明の実施の形態にかかる概略動作を説明するフローチャートである。
【符号の説明】
【０１３０】
１  画像読取装置
２  第１の画像データ処理装置
３  バス制御装置
４  第２の画像データ処理装置
５  ＨＤＤ
６  ＣＰＵ
７  メモリ
８  プロッタＩ／Ｆ装置
９  プロッタ装置
１０  操作表示装置
１１  回線Ｉ／Ｆ装置
１２  外部Ｉ／Ｆ装置
１３  ＳＢ
１４  ＲＯＭ
２１  変倍処理装置
２２，２３  その他の処理部
４１  変倍処理部
４２，４３  その他の処理部
６１  動作モード選択部
６２  変倍率設定部
６３  変倍率配分制御部
６４  定型解像度決定部
６５  調整部
１００  デジタル複合機（ＭＦＰ）
【図１】
0004972018.tif 000002
【図２】
0004972018.tif 000003
【図３】
0004972018.tif 000004
【図４】
0004972018.tif 000005
【図５】
0004972018.tif 000006
【図６】
0004972018.tif 000007
【図７】
0004972018.tif 000008